(57)【要約】【課題】利用可能な多量の画像ファイルの中からであっても、テキストを含むデータに合う画像ファイルを簡単に関連付ける。【解決手段】テキストを含むデータの作成開始時の位置情報に基づいて、撮影地点の位置情報との差異が所定範囲内である画像ファイルを検索し、この検索にヒットした画像ファイルをそのデータに関連付ける。【選択図】図４
2012137882.tif 000002
【特許請求の範囲】
【請求項１】
少なくともテキストを含むデータの作成開始時の位置情報に基づいて、撮影地点の位置情報との差異が所定範囲内である画像ファイルを検索し、該検索にヒットした画像ファイルを前記データに関連付けることを特徴とする情報処理装置。
【請求項２】
少なくともテキストおよび位置情報を含むデータから、前記データに含まれる位置情報を読み出す読み出し手段と、
撮影時の位置情報を含む画像ファイルの中から、画像ファイルに含まれる位置情報および前記読み出し手段により読み出された位置情報の差異が所定範囲内である画像ファイルを検索する検索手段と、
前記検索手段により検索ヒットした画像ファイルを前記データに関連付ける関連付け手段と、を備えたことを特徴とする情報処理装置。
【請求項３】
ネットワークを介して他装置と通信を行う通信手段を備え、
前記検索手段は、前記通信手段により前記ネットワークを介してアクセス可能な画像ファイルも含めて検索対象とすることを特徴とする請求項２記載の情報処理装置。
【請求項４】
前記データは日時情報を含み、
前記読み出し手段は、前記データに含まれる位置情報と日時情報とを読み出し、
前記検索手段は、撮影時の位置情報と日時情報とを含む画像ファイルの中から、画像ファイルに含まれる位置情報および前記読み出し手段により読み出された位置情報の差異が所定範囲内であり、かつ、画像ファイルに含まれる日時情報および前記読み出し手段により読み出された日時情報の差異が所定範囲内である画像ファイルを検索することを特徴とする請求項２または３記載の情報処理装置。
【請求項５】
前記データに含まれるテキストからキーワードを抽出するキーワード抽出手段を備え、
前記検索手段は、撮影時の位置情報とキーワードとを含む画像ファイルの中から、画像ファイルに含まれる位置情報および前記読み出し手段により読み出された位置情報の差異が所定範囲内であり、かつ、画像ファイルに含まれるキーワードが前記キーワード抽出手段により抽出されたキーワードを含んでいる画像ファイルを検索することを特徴とする請求項２または３記載の情報処理装置。
【請求項６】
前記検索手段により検索ヒットした画像ファイルの一覧から前記データに関連付ける画像ファイルを選択するための選択画面を表示する表示手段と、
前記表示手段に表示された選択画面に基づいて画像ファイルの選択入力を受ける画像選択手段と、を備え、
前記関連付け手段は、前記画像選択手段により選択された画像ファイルを前記データに関連付けることを特徴とする請求項２から５の何れか１項に記載の情報処理装置。
【請求項７】
複数の入力キーを備えた入力手段と、
前記入力手段により入力された文字や記号に基づいてテキストの作成を行うテキスト作成手段と、
位置情報を取得する位置情報取得手段と、
前記テキスト作成手段により作成されたテキストを含む前記データに、前記位置情報取得手段により取得された位置情報を付与する位置情報付与手段と、を備え、
前記位置情報付与手段は、前記テキスト作成手段によるテキスト作成開始時に前記位置情報取得手段で取得された位置情報を、該作成されたテキストを含む前記データに付与することを特徴とする請求項２から６の何れか１項に記載の情報処理装置。
【請求項８】
少なくともテキストおよび位置情報を含むデータから、前記データに含まれる位置情報を読み出す読み出し手順と、
撮影時の位置情報を含む画像ファイルの中から、画像ファイルに含まれる位置情報および前記読み出し手順により読み出された位置情報の差異が所定範囲内である画像ファイルを検索する検索手順と、
前記検索手順により検索ヒットした画像ファイルを前記データに関連付ける関連付け手順と、をコンピュータに実行させることを特徴とするプログラム。
【請求項９】
前記検索手順では、ネットワークを介して他装置と通信を行うことにより、該ネットワークを介してアクセス可能な画像ファイルも含めて検索対象とすることを特徴とする請求項８記載のプログラム。
【請求項１０】
前記データは日時情報を含み、
前記読み出し手順では、前記データにおける位置情報と日時情報とを読み出し、
前記検索手順では、撮影時の位置情報と日時情報とを含む画像ファイルの中から、画像ファイルに含まれる位置情報および前記読み出し手順により読み出された位置情報の差異が所定範囲内であり、かつ、画像ファイルに含まれる日時情報および前記読み出し手順により読み出された日時情報の差異が所定範囲内である画像ファイルを検索することを特徴とする請求項８または９記載のプログラム。
【請求項１１】
前記データに含まれるテキストからキーワードを抽出するキーワード抽出手順を、前記検索手順の前に前記コンピュータに実行させ、
前記検索手順では、撮影時の位置情報とキーワードとを含む画像ファイルの中から、画像ファイルに含まれる位置情報および前記読み出し手順により読み出された位置情報の差異が所定範囲内であり、かつ、画像ファイルに含まれるキーワードが前記キーワード抽出手順により抽出されたキーワードを含んでいる画像ファイルを検索することを特徴とする請求項８または９記載のプログラム。
【請求項１２】
前記検索手順の後、かつ前記関連付け手順の前に、
前記検索手順により検索ヒットした画像ファイルの一覧から前記データに関連付ける画像ファイルを選択するための選択画面を表示する表示手順と、
前記表示手順で表示された選択画面に基づいて画像ファイルの選択入力を受ける画像選択手順と、を前記コンピュータに実行させ、
前記関連付け手順では、前記画像選択手順により選択された画像ファイルを前記データに関連付けることを特徴とする請求項８から１１の何れか１項に記載のプログラム。
【請求項１３】
前記コンピュータは、
複数の入力キーを備えた入力手段と、
前記入力手段により入力された文字や記号に基づいてテキストの作成を行うテキスト作成手段と、
位置情報を取得する位置情報取得手段と、を備え、
前記テキスト作成手段により作成されたテキストを含む前記データに、前記位置情報取得手段により取得された位置情報を付与する位置情報付与手順を、前記読み出し手順の前に前記コンピュータに実行させ、
前記位置情報付与手順では、前記テキスト作成手段によるテキスト作成開始時に前記位置情報取得手段で取得された位置情報を、該作成されたテキストを含む前記データに付与することを特徴とする請求項８から１２の何れか１項に記載のプログラム。
【発明の詳細な説明】
【技術分野】
【０００１】
本発明は、テキストを含むデータに画像を関連付ける機能を有する情報処理装置およびプログラムに関する。
【背景技術】
【０００２】
近年、デジカメやカメラ付き携帯端末などが広く普及し、多くのユーザにとって、多量の撮影画像ファイルを用いることが手軽にできるようになっている。
このため、例えばブログ（Blog）やＳＮＳ（Social Networking Service）への投稿用文書ファイルなど、作成したテキストを含むデータに画像を添付することも広く行われている。
【０００３】
また、インターネット上のＷｅｂサイトには、一般使用を許可した画像ファイルを格納しているものもあり、そうしたネットワーク経由で取得できる画像ファイルも容易に利用できるようになっている。
【０００４】
ここで、多量の画像ファイルに対して、撮影時の位置情報を用いて画像ファイルを撮影場所の行政区分毎に分類し、表示するものがある（例えば、特許文献１参照）。
【０００５】
また、作業内容をまとめる業務報告書を作成する機能をデジタルカメラに設け、作成される業務報告書に作業場所での撮影画像を含めると共に、その撮影画像に撮影地点の情報を対応付けるようにしたものがある（例えば、特許文献２参照）。
【先行技術文献】
【特許文献】
【０００６】
【特許文献１】特開２００４−１１０５９９号公報
【特許文献２】特開２００５−２８６６８７号公報
【発明の概要】
【発明が解決しようとする課題】
【０００７】
しかしながら、上述のようにテキストを含むデータに画像を添付する場合、選択対象としうる画像ファイルが多量にあると、その多量の画像ファイルの中からイメージに合う画像を探し出すことには、大きな手間と時間がかかってしまっていた。
【０００８】
特に、携帯性が重視されるモバイル機器などでは、表示画面が比較的小さいため、イメージに合う画像を大量の画像ファイルの中から探し出すことには、さらに大きな手間と時間がかかってしまっていた。
【０００９】
また、上述した特許文献１のものは、画像ファイルを撮影場所で分類するものであり、テキストを含むデータに添付する画像など、イメージに合う画像を探し出すことについてまで考慮されたものではなかった。
【００１０】
また、上述した特許文献２のものは、業務内容に添付される撮影画像に対して、撮影地点の情報を対応付けるものであり、利用可能な多量の画像ファイルの中からイメージに合う画像を探し出すことについてまで考慮されたものではなかった。
【００１１】
本発明はこのような状況に鑑みてなされたものであり、利用可能な画像ファイルの中から、テキストを含むデータに合う画像ファイルを簡単に関連付けることができる情報処理装置およびプログラムを提供することを目的とする。
【課題を解決するための手段】
【００１２】
かかる目的を達成するために、本発明に係る情報処理装置は、少なくともテキストを含むデータの作成開始時の位置情報に基づいて、撮影地点の位置情報との差異が所定範囲内である画像ファイルを検索し、該検索にヒットした画像ファイルをデータに関連付けることを特徴とする。
【００１３】
また、本発明に係るプログラムは、少なくともテキストおよび位置情報を含むデータから、データに含まれる位置情報を読み出す読み出し手順と、撮影時の位置情報を含む画像ファイルの中から、画像ファイルに含まれる位置情報および読み出し手順により読み出された位置情報の差異が所定範囲内である画像ファイルを検索する検索手順と、検索手順により検索ヒットした画像ファイルをデータに関連付ける関連付け手順と、をコンピュータに実行させることを特徴とする。
【発明の効果】
【００１４】
以上のように、本発明によれば、利用可能な画像ファイルの中から、テキストを含むデータに合う画像ファイルを簡単に関連付けることができる。
【図面の簡単な説明】
【００１５】
【図１】本発明の実施形態としての情報処理端末１が接続されるシステム構成例を示すブロック図である。
【図２】本発明の実施形態としての情報処理端末の構成例を示すブロック図である。
【図３】第１の実施形態での位置情報付与動作例を示すフローチャートである。
【図４】第１の実施形態での画像ファイル関連付け動作例を示すフローチャートである。
【図５】第２の実施形態での画像ファイル関連付け動作例を示すフローチャートである。
【図６】第２の実施形態における、関連付け画像ファイルの選択画面例を示す図である。
【発明を実施するための形態】
【００１６】
次に、本発明に係る情報処理装置およびプログラムを、通信機能を備えた情報処理端末に適用した一実施形態について、図面を用いて詳細に説明する。
【００１７】
〔第１の実施形態〕
まず、本発明の第１の実施形態の概略について説明する。
本実施形態の情報処理端末は、ユーザが文書ファイル（テキストを含むデータ）を編集する際、その文書ファイル作成開始時の位置情報に基づいて、その位置に近い位置で撮影された画像ファイルを検索し、検索ヒットした画像ファイルをその文書ファイルに自動的に関連付ける。
【００１８】
このため、文書ファイルの作成時に、自装置内の多量の画像ファイルや、Ｗｅｂサイトにネットワーク経由で接続して利用可能な画像ファイルから、作成開始時の位置に近い位置で撮影された画像ファイルを簡単に添付することができる。
【００１９】
次に、本実施形態としての情報処理端末１が接続されるシステム構成例について、図１を参照して説明する。
【００２０】
本実施形態としての情報処理端末１は、無線通信の基地局２を介してネットワーク３に接続可能となっており、このネットワーク３経由で、ユーザの自宅などにあるＰＣ４や、Ｗｅｂサイトを開設しているサーバ装置５などに接続できるようになっている。また、サーバ装置５は、記憶手段を備えたものであれば各種の装置であってもよく、例えばオンラインストレージ等であってもよい。
【００２１】
本実施形態としての情報処理端末１は、こうした通信機能を有することにより、自装置内のファイルだけでなく、ネットワーク３経由で、ＰＣ４、Ｗｅｂサイトやオンラインストレージ等の各種ファイルにもアクセスできるようになっている。
【００２２】
なお、ネットワーク３に接続することができれば、接続方法は無線通信による接続に限定されず、有線による通信であってもよく、両方での通信機能を備えた構成であってもよい。また、無線通信は、無線ＬＡＮ（Local Area Network）による通信であってもよく、携帯電話回線による通信であってもよい。
【００２３】
次に、本実施形態としての情報処理端末の構成について、図２を参照して説明する。
本実施形態としての情報処理端末１は、他の装置と通信を行う通信部１１と、画面表示を行う表示部１２と、ユーザが操作入力を行う操作入力部１３と、制御部１４と、位置情報取得部１５と、記憶部１６と、記録媒体接続部１７とを備えて構成される。
【００２４】
通信部１１は、上述のように、無線通信や有線通信の機能を備え、他の装置と通信を行う。無線通信としては、上述のように、例えばIEEE 802.11aや802.11gなどの各種無線ＬＡＮによる通信機能を備えてもよく、携帯電話回線による通信機能を備えてもよい。
【００２５】
操作入力部１３は、入力する文字や記号のキー表示を有する複数の入力キーを備えたキーボードやポインティングデバイス等からなり、ユーザによる文書作成のための操作入力に用いられる。
【００２６】
制御部１４は、所定のプログラムに基づいてＣＰＵなどが処理を行うことで実現され、装置全体の制御を行う。こうして各種のアプリケーションソフト等を動作させ、操作入力部１３から入力された文字や記号に基づいて文書（テキスト）の作成を行う文書作成・編集機能を実現する（テキスト作成手段）。また、画像ファイルの検索、関連付けなどの機能を実現する。
【００２７】
また、制御部１４は、位置情報取得部１５が取得した位置情報を、文書ファイルや画像ファイルの属性情報として付与する機能を有する。
付与方法は、例えば画像ファイルにおけるＥＸＩＦ（Exchangeable Image File Format）のファイルフォーマットの位置情報格納領域など、各種ファイルフォーマットにおける所定領域に付与する方法であってもよい。また、予め専用に設定された領域に付与する方法であってもよい。
【００２８】
位置情報取得部１５が取得する位置情報は、情報処理端末１が備えるＧＰＳ受信機により取得される緯度経度情報であってもよく、無線ＬＡＮアクセスポイントを特定する特定情報（アクセスポイントＩＤなど）であってもよく、携帯電話の基地局を特定する特定情報（基地局ＩＤなど）であってもよい。また、位置情報取得部１５が、これら位置情報の何れかを取得条件に応じて取得対象に選択して取得してもよく、これら位置情報の複数を取得対象としてもよい。
【００２９】
記憶部１６は、画像ファイルや文書ファイルなどを記憶する。
【００３０】
記録媒体接続部１７は、対応する記録媒体６を接続させ、その記録媒体６へのデータ読み書きを可能とする。対応する記録媒体６は、例えばＳＤ（Secure Digital）カードやＵＳＢ（登録商標）メモリなど、着脱可能な各種の記録媒体であってよい。
【００３１】
次に、本実施形態の情報処理端末１による位置情報付与動作例について、図３のフローチャートを参照して説明する。
【００３２】
まず、本実施形態としての情報処理端末１で、ユーザが各種ワープロソフトやエディタ等の文書作成・編集アプリケーションを起動すると、文書作成・編集アプリケーションは、自動的に新規の文書ファイルを作成する（ステップＳ１）。ここで、キーボードなどの操作入力部１３から文字入力が開始されると（ステップＳ２）、制御部１４は、位置情報取得部１５により取得された位置情報を、作成開始された文書ファイルにおける属性情報として記憶部１６に記憶させる（ステップＳ３）。
【００３３】
なお、制御部１４が、文書ファイルに作成開始時の位置情報を付与するタイミングは、上述のような文字入力開始時に限定されず、例えば新規ファイルが作成された時点であってもよい。
【００３４】
次に、本実施形態の情報処理端末１による、文書ファイルへの画像ファイルの関連付け動作例について、図４のフローチャートを参照して説明する。
【００３５】
本実施形態としての情報処理端末１における文書作成・編集アプリケーションで文書ファイルが開かれると（ステップＳ１１）、制御部１４は、その文書ファイルの属性情報を参照し、付与されている作成開始時の位置情報を読み出す（ステップＳ１２）。
【００３６】
位置情報を読み出すと、制御部１４は、アクセス可能な画像ファイルに対して、画像ファイルに属性情報として付与されている撮影時の位置情報を順次参照し、読み出された文書ファイル作成開始時の位置情報との差異が予め定められた所定範囲内である画像ファイルを検索する（ステップＳ１３）。
【００３７】
ステップＳ１３で検索対象とする画像ファイルは、記憶部１６に格納された画像ファイルだけでなく、上述のように、通信部１１によりネットワーク３を介して接続可能なＰＣ４や各種のサーバ装置５などに格納されているアクセス可能な画像ファイルも含まれる。すなわち、ステップＳ１３の検索では、自装置内およびＷｅｂ上で利用可能な各種画像ファイルを検索対象とする。
【００３８】
ステップＳ１３の検索により画像ファイルが検索ヒットすると（ステップＳ１４；Ｙｅｓ）、制御部１４は、検索ヒットした画像ファイルを、ステップＳ１１で開かれた文書ファイルに順次関連付ける（ステップＳ１５）。こうして画像ファイルが文書ファイルに関連付けられることにより、画像ファイルがファイル添付された状態で文書ファイルを各種Ｗｅｂサーバに送信したり、画像ファイルが関連付けられた文書ファイルを記憶部１６に保存したりすることができる。
【００３９】
ステップＳ１３の検索により画像ファイルが検索ヒットしない場合（ステップＳ１４；Ｎｏ）、本動作フローを終了する。
【００４０】
以上のように、上述した第１の実施形態によれば、文書ファイルの作成時に、自装置内およびＷｅｂ上で利用可能な各種画像ファイルから、作成開始時の位置に近い位置で撮影された画像ファイルを自動的に検索して関連付けることができる。
【００４１】
このため、例えば文書ファイルの作成開始時には、移動中などで画像ファイル添付までしている余裕がない場合であっても、文書作成ができる状態となったときに文書ファイルが開かれた際に、その文書ファイルの作成開始時の位置に近い位置で撮影された画像ファイルを自動的に関連付けることができる。
【００４２】
近年、位置タグ付きで一般利用が許可された画像ファイルがＷｅｂサイトにも多数ある状況となっている。また、Ｗｅｂ上のオンラインストレージ等に多数の画像ファイルを保存することも容易にできるようになっている。こうした状況をふまえて、本実施形態によれば、こうしたＷｅｂ上も含めて利用可能な多数の画像ファイルの中から、文書ファイルに合う画像ファイルを自動的に関連付けることができる。
【００４３】
特に、本実施形態の情報処理端末が、携帯性の重視されるモバイル機器である場合、表示部１２の画面サイズが比較的小さくなるため、ユーザが表示画面で画像ファイルの内容を１つ１つ確認しながら文書ファイルに合う画像ファイルを探すには、非常に手間がかかってしまう。本実施形態によれば、特にこうしたモバイル機器に適用された場合、さらに効果的にユーザの手間を簡略化することができる。
【００４４】
なお、上述した第１の実施形態では、画像ファイルの検索条件を位置情報として説明したが、検索条件として日時情報も用いる構成であってもよい。
この場合、制御部１４が計時機能を備え、表示部１２への時刻表示などを行うと共に、上述したステップＳ３で文書ファイルに位置情報を付与する際に、作成開始時点の日時情報も属性情報の一部として付与する。そして、上述したステップＳ１２で文書ファイルから位置情報を読み出す際に、作成開始時点の日時情報も属性情報から読み出し、ステップＳ１３での画像ファイル検索では、文書ファイルの位置情報と撮影時の位置情報との差異が所定範囲内であると共に、文書ファイルの日時情報と撮影時の日時情報との差異が所定範囲内である画像ファイルを検索する。
【００４５】
こうして日時情報も検索条件に用いる構成によれば、作成する文書ファイルに合う画像ファイルをより高精度に検索することができる。
【００４６】
また、上述した第１の実施形態における画像ファイルの検索条件として、キーワードも用いる構成であってもよい。
この場合、制御部１４が計時機能およびキーワード抽出機能を備え、表示部１２への時刻表示などを行うと共に、上述したステップＳ３で文書ファイルに位置情報を付与する際に、作成開始時点の日時情報も属性情報の一部として付与する。そして、上述したステップＳ１２で文書ファイルから位置情報を読み出す際に、作成開始時点の日時情報も属性情報から読み出し、さらに、作成される文書ファイルの文書情報からキーワードの抽出を行う。このキーワード抽出は、例えば選択された文字列や、マウスなどのポインティングデバイスのカーソルが位置している部分の文字列をキーワードとして抽出する方法、文書情報全体から公知のアルゴリズムにより抽出する方法など、各種の方法であってよい。
そして、ステップＳ１３での画像ファイル検索では、文書ファイルの位置情報と撮影時の位置情報との差異が所定範囲内であると共に、文書ファイルの日時情報と撮影時の日時情報との差異が所定範囲内であり、さらに抽出されたキーワードを属性情報に含む画像ファイルを検索する。
【００４７】
こうして検索条件に位置情報、日時情報およびキーワードも用いる構成によれば、作成する文書ファイルに合う画像ファイルをより高精度に検索することができる。
また、同様に検索条件として位置情報およびキーワードを用いる構成とした場合についても、作成する文書ファイルに合う画像ファイルをより高精度に検索することができる。
【００４８】
また、上述した検索条件に用いる日時情報は、日付情報のみあるいは時刻情報のみであってもよい。つまり、文書ファイルの作成開始日に近い撮影日の画像を検索して添付してもよく、文書ファイルの作成開始時刻に近い撮影時刻の画像を検索して添付してもよい。また、こうした検索条件を設定画面等により切り換える構成であってもよい。
【００４９】
〔第２の実施形態〕
次に、本発明の第２の実施形態について説明する。
第２の実施形態は、上述した第１の実施形態で検索ヒットした画像ファイルを自動的に文書ファイルに関連付けているのに替えて、検索ヒットした画像ファイルから関連付けるものをユーザに選択させてから関連付けるようにしたものである。
上述した第１の実施形態と同様のものについては説明を省略する。
【００５０】
図５は、第２の実施形態としての情報処理端末１による、文書ファイルへの画像ファイルの関連付け動作例について示すフローチャートである。
【００５１】
上述した第１の実施形態におけるステップＳ１１〜Ｓ１３と同様の動作により、文書作成・編集アプリケーションで文書ファイルが開かれた際に、文書ファイル作成開始時の位置情報に基づいて、アクセス可能な画像ファイルに対して制御部１４が検索を行う（ステップＳ２１〜Ｓ２３）。
【００５２】
ステップＳ２３の検索により画像ファイルが検索ヒットすると（ステップＳ２４；Ｙｅｓ）、制御部１４は、図６に例示するような選択画面を表示部１２に表示させ（ステップＳ２５）、検索ヒットした画像ファイルの一覧を選択対象としてユーザからの選択入力を受ける。
【００５３】
図６の選択画面例で表示されている画像ファイルの一覧から、ユーザにより選択された画像ファイルのチェックボックスがＯＮにされるなどにより、関連付ける画像ファイルが操作入力部１３で選択入力されると（ステップＳ２６；Ｙｅｓ）、制御部１４は、選択された画像ファイルを、ステップＳ２１で開かれた文書ファイルに関連付ける（ステップＳ２７）。こうして画像ファイルが文書ファイルに関連付けられることにより、画像ファイルがファイル添付された状態で文書ファイルを各種Ｗｅｂサーバに送信したり、画像ファイルが関連付けられた文書ファイルを記憶部１６に保存したりすることができる。
【００５４】
ステップＳ２３の検索により画像ファイルが検索ヒットしない場合（ステップＳ２４；Ｎｏ）、本動作フローを終了する。
【００５５】
以上のように、上述した第２の実施形態によれば、文書ファイルの作成時に、自装置内およびＷｅｂ上で利用可能な各種画像ファイルから、作成開始時の位置に近い位置で撮影された画像ファイルを自動的に検索し、その検索ヒットした画像ファイルから関連付けるものをユーザに選択させることができる。
【００５６】
このように、本実施形態によれば、Ｗｅｂ上も含めて利用可能な多数の画像ファイルの中から、文書ファイルに合う画像ファイルの一覧を自動的に検索して選択画面として表示し、ユーザに選択させることができる。
【００５７】
このため、文書ファイルに合う画像ファイルから、さらにユーザの意図に合う画像ファイルを選択することができ、文書ファイルに関連付ける画像ファイルを、簡単な選択入力操作だけでより的確に絞り込むことができる。
【００５８】
〔各実施形態について〕
なお、上述した各実施形態は本発明の好適な実施形態であり、本発明はこれに限定されることなく、本発明の技術的思想に基づいて種々変形して実施することが可能である。
【００５９】
例えば、上述した実施形態では、作成している文書ファイルに画像ファイルをファイル添付することとして説明したが、文書ファイルに画像ファイルを関連付ける方法はこのものに限定されず、例えば文書ファイルがＨＴＭＬ（Hypertext Markup Language）ファイルなどである場合、文書ファイル内に画像ファイルへのリンクを設ける方法であってもよい。また、アーカイブ（Archive）として各種形式の文書ファイルと画像ファイルとを１つのファイルにまとめる方法などであってもよい。
【００６０】
また、上述した実施形態では、通信部１１により他装置との通信機能を備えることとして説明したが、情報処理端末１が通信機能を備えていない構成であってもよい。
この場合、自装置内の記憶部１６や、記録媒体接続部１７に接続された記録媒体６（ＳＤカードなど）に格納された画像ファイルを検索対象として検索することとなる。
【００６１】
また、上述した各実施形態としての情報処理端末１を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００６２】
この本発明に係るプログラムによれば、当該プログラムによって制御される情報処理装置に、上述した各実施形態における各機能を実現させることができる。
【産業上の利用可能性】
【００６３】
本発明に係る情報処理装置は、例えば携帯電話などの携帯情報端末、ノートＰＣといった各種モバイル機器に特に好適に適用することができると共に、デスクトップＰＣなど各種の情報処理装置にも同様に適用することができる。
【符号の説明】
【００６４】
１    情報処理端末
１１    通信部
１２    表示部
１３    操作入力部
１４    制御部
１５    位置情報取得部
１６    記憶部
１７    記録媒体接続部
６    記録媒体
【図１】
2012137882.tif 000003
【図２】
2012137882.tif 000004
【図３】
2012137882.tif 000005
【図４】
2012137882.tif 000006
【図５】
2012137882.tif 000007
【図６】
2012137882.tif 000008